(57)【要約】【課題】各ユーザに対応して再印刷可能に記憶される画像データのセキュリティを高めることである。【解決手段】画像形成装置としてのデジタル複写機１００において、ユーザの個人識別情報を受け付ける個人識別情報入力手段４と、個人識別情報入力手段４を介して入力されたユーザの個人識別情報及び認証情報を用いて、そのユーザを個人認証する個人認証手段５と、画像データに基づいて記録媒体に画像形成して印刷する画像形成手段８と、印刷された画像データを記憶する記憶手段６と、個人認証手段５においてユーザの認証が成功した場合に、画像形成手段８における再印刷として、前記認証されたユーザに対応して記憶手段６に記憶されている画像データの再印刷のみを許可する制御手段１と、を備える。【選択図】図１
2005343034.tif 000002
【特許請求の範囲】
【請求項１】
ユーザの個人識別情報入力を受け付ける個人識別情報入力手段と、
前記個人識別情報入力手段を介して入力されたユーザの個人識別情報を用いて、そのユーザを個人認証する個人認証手段と、
画像データに基づいて記録媒体に画像形成して印刷する画像形成手段と、
印刷された画像データを記憶する記憶手段と、
前記個人認証手段においてユーザの認証が成功した場合に、前記画像形成手段における再印刷として、前記認証されたユーザに対応して前記記憶手段に記憶されている画像データの再印刷のみを許可する制御手段と、を備えることを特徴とする画像形成装置。
【請求項２】
情報を表示する表示手段と、
前記制御手段は、前記認証が成功した場合に、当該認証されたユーザに対応して前記記憶手段に記憶されている画像データを識別する画像識別情報を前記表示手段に表示させることを特徴とする請求項１に記載の画像形成装置。
【請求項３】
前記画像識別情報は、ユーザ識別情報、画像データ名、画像データサイズ及び画像データ形式のうちの少なくとも１つを含む画像属性情報と、画像データの縮小画像データと、印刷条件情報と、のうちの少なくとも１つを含むことを特徴とする請求項２に記載の画像形成装置。
【請求項４】
前記制御手段は、前記画像識別情報を前記画像形成手段に画像形成させることを特徴とする請求項２又は３に記載の画像形成装置。
【請求項５】
前記制御手段は、前記画像識別情報が複数である場合に、当該各画像識別情報に対応する画像データの利用回数、保存時間又は利用していない時間に基づいて、当該各画像識別情報の順番を並べ替えて前記表示手段に表示させることを特徴とする請求項２から４のいずれか一項に記載の画像形成装置。
【請求項６】
ユーザの操作入力を受け付ける操作手段を備え、
前記制御手段は、前記認証が成功した場合に、当該認証されたユーザに対応して前記記憶手段に記憶されている画像データのうちの印刷対象の画像データの選択入力を、前記操作手段を介して受け付け、当該選択された画像データを前記画像形成手段に画像形成させることを特徴とする請求項１から５のいずれか一項に記載の画像形成装置。
【請求項７】
ユーザの操作入力を受け付ける操作手段を備え、
前記制御手段は、前記認証されたユーザに対応して前記記憶手段に記憶されている画像データを再印刷する場合に、印刷条件の入力を前記操作手段を介して受け付け、その印刷条件に基づいて、前記再印刷する画像データを前記画像形成手段に画像形成させることを特徴とする請求項１から５のいずれか一項に記載の画像形成装置。
【請求項８】
ユーザの操作入力を受け付ける操作手段と、
外部機器と通信接続されて画像データを転送先に転送する画像転送手段とを備え、
前記制御手段は、前記認証が成功した場合に、転送条件の入力を前記操作手段を介して受け付け、当該転送条件に基づいて、前記認証されたユーザに対応して前記記憶手段に記憶されている画像データを前記画像転送手段により転送先に転送させることを特徴とする請求項１から５のいずれか一項に記載の画像形成装置。
【請求項９】
前記制御手段は、前記認証が成功した場合に、前記認証されたユーザに対応して前記記憶手段に記憶されている画像データを選択して削除することを特徴とする請求項１から８のいずれか一項に記載の画像形成装置。
【請求項１０】
前記記憶手段は、各ユーザ又は全ユーザに対応して記憶できる画像データの数又は合計容量の上限が設定されることを特徴とする請求項１から９のいずれか一項に記載の画像形成装置。
【請求項１１】
前記個人識別情報入力手段は、個人識別情報として、指紋データ、虹彩データ、顔データ、静脈データ及び声紋データのうちの少なくとも１つの生体情報と、パスワードと、電子認証具に記憶された識別情報と、のうちの少なくとも１つの入力を受け付けることを特徴とする請求項１から１０のいずれか一項に記載の画像形成装置。
【発明の詳細な説明】
【技術分野】
【０００１】
本発明は、画像形成装置に関する。
【背景技術】
【０００２】
従来、プリンタ、複写機などの画像形成装置において、一度記録用紙に画像形成して印刷した画像データを、画像形成後も保存し、その保存された画像データを記録用紙に再印刷する構成が考えられている。例えば、印刷ジョブを保存しつつ、その保存された印刷ジョブに関するジョブ名、ジョブオーナ名、印刷部数、カラー／モノクロなどのジョブ属性を変更して再印刷できる印刷装置が考えられている（例えば、特許文献１参照）。また、印刷データを保存しつつ、その印刷データの属性情報に基づいて印刷データを一覧表示し、ユーザが属性情報の絞込み入力により、再印刷する印刷データを選択可能な印刷装置が考えられている（例えば、特許文献２参照）。
【０００３】
また、セキュリティ保護のため、ユーザのユーザＩＤ及びパスワード入力などに基づいて、ユーザを個人認証する個人認証技術が実施されており、この個人認証の構成を再印刷可能な画像形成装置に応用したものが考えられている。例えば、個人認証したユーザの画像形成に基づいて、画像データの格納履歴を作成して管理する画像形成装置が考えられている（例えば、特許文献３参照）。
【特許文献１】特開２００１−８０１４３号公報
【特許文献２】特開平１０−２６９０３６号公報
【特許文献３】特開２００３−２１１７９２号公報
【発明の開示】
【発明が解決しようとする課題】
【０００４】
しかし、特許文献２に記載の印刷装置の構成では、ユーザが再印刷するにあたり、自分を含む全ユーザの保存された印刷データが一覧表示されるため、そのユーザが自分の保存した画像データを絞込む操作が煩雑になるおそれがあった。
【０００５】
また、特許文献３に記載の画像形成装置の構成では、個人認証されたユーザが、その認証時に保存されている画像データを再印刷する場合に、そのユーザに対応する画像データのみならず、他のユーザに対応する画像データも再印刷できるものであった。このため、各ユーザに対応する画像データのセキュリティが保護されないおそれがあった。
【０００６】
本発明の課題は、各ユーザに対応して再印刷可能に記憶される画像データのセキュリティを高めることである。
【課題を解決するための手段】
【０００７】
上記課題を解決するため、請求項１に記載の発明は、
ユーザの個人識別情報入力を受け付ける個人識別情報入力手段と、
前記個人識別情報入力手段を介して入力されたユーザの個人識別情報を用いて、そのユーザを個人認証する個人認証手段と、
画像データに基づいて記録媒体に画像形成して印刷する画像形成手段と、
印刷された画像データを記憶する記憶手段と、
前記個人認証手段においてユーザの認証が成功した場合に、前記画像形成手段における再印刷として、前記認証されたユーザに対応して前記記憶手段に記憶されている画像データの再印刷のみを許可する制御手段と、を備えることを特徴とする。
【０００８】
請求項２に記載の発明は、請求項１に記載の画像形成装置において、
情報を表示する表示手段と、
前記制御手段は、前記認証が成功した場合に、当該認証されたユーザに対応して前記記憶手段に記憶されている画像データを識別する画像識別情報を前記表示手段に表示させることを特徴とする。
【０００９】
請求項３に記載の発明は、請求項２に記載の画像形成装置において、
前記画像識別情報は、ユーザ識別情報、画像データ名、画像データサイズ及び画像データ形式のうちの少なくとも１つを含む画像属性情報と、画像データの縮小画像データと、印刷条件情報と、のうちの少なくとも１つを含むことを特徴とする。
【００１０】
請求項４に記載の発明は、請求項２又は３に記載の画像形成装置において、
前記制御手段は、前記画像識別情報を前記画像形成手段に画像形成させることを特徴とする。
【００１１】
請求項５に記載の発明は、請求項２から４のいずれか一項に記載の画像形成装置において、
前記制御手段は、前記画像識別情報が複数である場合に、当該各画像識別情報に対応する画像データの利用回数、保存時間又は利用していない時間に基づいて、当該各画像識別情報の順番を並べ替えて前記表示手段に表示させることを特徴とする。
【００１２】
請求項６に記載の発明は、請求項１から５のいずれか一項に記載の画像形成装置において、
ユーザの操作入力を受け付ける操作手段を備え、
前記制御手段は、前記認証が成功した場合に、当該認証されたユーザに対応して前記記憶手段に記憶されている画像データのうちの印刷対象の画像データの選択入力を、前記操作手段を介して受け付け、当該選択された画像データを前記画像形成手段に画像形成させることを特徴とする。
【００１３】
請求項７に記載の発明は、請求項１から５のいずれか一項に記載の画像形成装置について、
ユーザの操作入力を受け付ける操作手段を備え、
前記制御手段は、前記認証されたユーザに対応して前記記憶手段に記憶されている画像データを再印刷する場合に、印刷条件の入力を前記操作手段を介して受け付け、その印刷条件に基づいて、前記再印刷する画像データを前記画像形成手段に画像形成させることを特徴とする。
【００１４】
請求項８に記載の発明は、請求項１から５のいずれか一項に記載の画像形成装置において、
ユーザの操作入力を受け付ける操作手段と、
外部機器と通信接続されて画像データを転送先に転送する画像転送手段とを備え、
前記制御手段は、前記認証が成功した場合に、転送条件の入力を前記操作手段を介して受け付け、当該転送条件に基づいて、前記認証されたユーザに対応して前記記憶手段に記憶されている画像データを前記画像転送手段により転送先に転送させることを特徴とする。
【００１５】
請求項９に記載の発明は、請求項１から８のいずれか一項に記載の画像形成装置において、
前記制御手段は、前記認証が成功した場合に、前記認証されたユーザに対応して前記記憶手段に記憶されている画像データを選択して削除することを特徴とする。
【００１６】
請求項１０に記載の発明は、請求項１から９のいずれか一項に記載の画像形成装置において、
前記記憶手段は、各ユーザ又は全ユーザに対応して記憶できる画像データの数又は合計容量の上限が設定されることを特徴とする請求項１から９のいずれか一項に記載の画像形成装置。
【００１７】
請求項１１に記載の発明は、請求項１から１０のいずれか一項に記載の画像形成装置において、
前記個人識別情報入力手段は、個人識別情報として、指紋データ、虹彩データ、顔データ、静脈データ及び声紋データのうちの少なくとも１つの生体情報と、パスワードと、電子認証具に記憶された識別情報と、のうちの少なくとも１つの入力を受け付けることを特徴とする。
【発明の効果】
【００１８】
請求項１に記載の発明によれば、入力されたユーザの個人識別情報を用いて、そのユーザを個人認証し、その認証が成功した場合に、当該認証されたユーザに対応して記憶手段に記憶されている画像データのみの再印刷を許可する。このため、各ユーザに対応して再印刷可能に記憶手段に記憶される画像データのセキュリティを高めることができるとともに、その画像データを別のユーザが誤って再印刷することを防ぐことができる。
【００１９】
請求項２に記載の発明によれば、認証されたユーザに対応して記憶手段に記憶されている画像データの画像識別情報を表示するので、認証されたユーザが、再印刷可能な画像データの画像識別情報を目視により容易に確認できる。
【００２０】
請求項３に記載の発明によれば、認証されたユーザが、ユーザ識別情報、画像データ名、画像データサイズ及び画像データ形式のうちの少なくとも１つを含む画像属性情報と、画像データの縮小画像データと、印刷条件情報と、のうちの少なくとも１つを含む画像識別情報を、目視により確認でき、画像データを確実に識別できる。
【００２１】
請求項４に記載の発明によれば、画像識別情報を画像形成して印刷するので、認証されたユーザが、記録媒体に印刷された画像識別情報を目視により容易に確認できる。
【００２２】
請求項５に記載の発明によれば、各画像識別情報に対応する画像データの利用回数、保存時間又は利用していない時間に基づいて、当該各画像識別情報の順番を並べ替えて表示するので、認証されたユーザが、利用回数、保存時間又は利用していない時間に基づく画像データの順番を目視により確認できる。
【００２３】
請求項６に記載の発明によれば、認証されたユーザに対応して記憶手段に記憶されている画像データのうち、そのユーザに選択された印刷対象の画像データを画像形成するので、認証されたユーザが再印刷対象の画像データを容易に選択して再印刷できる。特に、画像識別情報が表示されている場合には、画像識別情報に基づいて、認証されたユーザが再印刷対象の画像データをさらに容易に選択して再印刷できる。
【００２４】
請求項７に記載の発明によれば、新しく入力された印刷条件に基づいて、認証されたユーザに対応して記憶手段に記憶されている画像データを再印刷するので、再印刷実行のたびに異なる印刷条件で印刷できる。
【００２５】
請求項８に記載の発明によれば、入力される転送条件に基づいて、認証されたユーザに対応して記憶手段に記憶されている画像データを転送先に転送するので、転送先の外部機器、アプリケーションなどにおいて、認証されたユーザに対応する画像データのセキュリティを高めるとともに、容易に再利用できる。
【００２６】
請求項９に記載の発明によれば、認証されたユーザに対応して記憶手段に記憶されている画像データを選択して削除するので、記憶手段の空き容量を大きくできるとともに、画像データが他のユーザに削除されることを防ぐことができる。
【００２７】
請求項１０に記載の発明によれば、各ユーザ又は全ユーザに対応して記憶できる画像データの数又は合計容量の上限が設定されるので、記憶手段に記憶されている画像データの探索効率を上げることができる。また、各ユーザに対応して記憶できる画像データの数又は合計容量の上限が設定される場合には、各ユーザによる記憶手段の記憶領域の占有を防ぐことができる。また、全ユーザに対応して記憶できる画像データの数又は合計容量の上限が設定される場合には、再印刷用の画像データによる記憶手段の記憶領域の占有を防ぐことができる。
【００２８】
請求項１１に記載の発明によれば、指紋データ、虹彩データ、顔データ、静脈データ及び声紋データのうちの少なくとも１つの生体情報と、パスワードと、電子認証具に記憶された識別情報と、のうちの少なくとも１つの個人識別情報を用いて個人認証できる。特に、複数の個人識別情報を組み合わせて用いる場合に、セキュリティを高めることができる。
【発明を実施するための最良の形態】
【００２９】
以下、添付図を参照して本発明に係る実施の形態を詳細に説明する。ただし、発明の範囲は、図示例に限定されない。
【００３０】
先ず、図１を参照して、本実施の形態の装置構成を説明する。図１に、本実施の形態のデジタル複写機１００の構成を示す。
【００３１】
図１に示すように、本実施の形態の画像形成装置としてのデジタル複写機１００は、制御手段１と、操作手段２と、表示手段３と、個人識別情報入力手段４と、個人認証手段５と、記憶手段６と、画像入力手段７と、画像形成手段８と、画像転送手段９と、計時手段１０を備えて構成され、各手段がバスにより接続される。また、記憶手段６は、認証情報記憶手段６１と、画像記憶手段６２と、を備えて構成される。
【００３２】
本実施の形態では、画像形成装置として、デジタル複写機を用いる構成とするが、これに限定されるものではなく、プリンタ、ＭＦＰ（Multi Function Printer：多機能プリンタ）など、少なくとも記録用紙などの記録媒体に画像形成する機能を有する機器を用いることとしてもよい。
【００３３】
制御手段１は、デジタル複写機１００内の各手段を制御する。制御手段１は、ＣＰＵ（Central Processing Unit）、ＲＡＭ（Random Access Memory）、ＲＯＭ(Read Only Memory)を有し、ＲＯＭに格納された各種プログラムをＲＡＭに展開し、そのＲＡＭ内のプログラムと、ＣＰＵとの協働で各種処理を実行する。
【００３４】
操作手段２は、入力キーなどを備え、ユーザから操作入力された情報を入力信号として受け付け、その入力信号を制御手段１に出力する。表示手段３は、ＬＣＤ（Liquid Crystal Display）などにより構成され、制御手段１からの表示信号に基づいて各種情報を表示する。また、表示手段３は、操作手段２と一体にして、タッチパネルを構成することとしてもよい。
【００３５】
個人識別情報入力手段４は、指紋センサであり、ユーザの指の指紋を読み取り、その指紋を識別する個人識別情報としての指紋データを生成して制御手段１に出力する。本実施の形態では、指を置いたまま指紋データを読み取るものとするが、指をスライドさせて読み取るスイープ式のものなどとしてもよい。
【００３６】
個人認証手段５は、個人識別情報入力手段４により入力される所定ユーザの指紋データと、認証情報記憶手段６１に記憶される同一登録ユーザの指紋データとの照合を行い、その類似度が所定以上で、指紋が一致するか否かの判別により個人認証する。その類似度が所定以上である場合に、指紋が一致したものとして、指紋を入力したユーザの個人認証が成功する。
【００３７】
記憶手段６は、データの読み込みが可能なＲＯＭや、データの読み書きが可能なフラッシュメモリ、ＨＤＤ（Hard Disk Drive）等により構成され、各種データを記憶する。認証情報記憶手段６１は、認証情報としての登録ユーザの指紋データを記憶する。画像記憶手段６２は、一度印刷した画像データを再印刷可能な印刷ジョブとして記憶する。
【００３８】
画像入力手段７は、原稿に記録された画像を読み取り、その画像の画像データを生成するスキャナである。画像入力手段７は、ＣＣＤ（Charge Coupled Device）などの画像読み取り手段と、当該画像読み取り手段を移動させる走査手段と、当該画像読み取り手段により読み取られた信号に各種変換・処理を施す画像処理手段とを有する。
【００３９】
画像形成手段８は、インクジェット式、レーザ式、熱転写式、ドットインパクト式などのプリント手段であり、制御手段１から入力される画像データに基づいて、記録用紙などの記録媒体上に画像を形成して記録する。なお、画像形成する記録媒体としては、記録用紙に限定されるものではなく、ＯＨＰシートなどの記録媒体を用いてもよい。
【００４０】
画像転送手段９は、ＮＩＣ（Network Interface Card）などにより構成され、通信ネットワークＮを介してＰＣ（Personal Computer）などの外部機器との画像データなどのデータを送受信する。通信ネットワークＮは、例えば、ＬＡＮ（Local Area Network）であるが、ＷＡＮ（Wide Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００４１】
計時手段１０は、現在の日付及び時間を計測し、その日付情報及び時間情報を制御手段１に出力する。
【００４２】
次に、図２を参照して、画像記憶手段６２に記憶される再印刷対象の印刷ジョブ２００を説明する。図２に、印刷ジョブ２００の構成を示し、（ａ）に印刷ジョブ２００の構成を示し、（ｂ）に印刷ジョブ２００の画像属性情報２１０の構成を示す。
【００４３】
図２に示すように、印刷ジョブ２００は、画像データ２２０に属性する画像属性情報２１０と、印刷のための画像データ（画像ファイル）２２０と、を含む。画像データ２２０は、記録媒体１頁に記録するための画像を少なくとも１つ有する情報とする。
【００４４】
画像属性情報２１０は、印刷ジョブを識別する印刷ジョブ名２１１と、印刷ジョブを保存したユーザを識別するユーザＩＤ２１２と、保存された時分秒などの時間を示す時間２１３と、時間２１３の年月日などの日付を示す日付２１４と、各印刷データのファイル名２１５と、画像データ２２０のファイル名２１５と、画像データ２２０のファイルサイズ２１６と、画像データ２２０のファイル形式２１７と、再印刷した回数の履歴としての利用回数２１８と、を含む。
【００４５】
また、画像属性情報２１０には、画像データ２２０の印刷枚数情報、画像データ２２０のモノクロ／カラー印刷の識別情報、画像データ２２０を印刷した記録媒体のサイズ情報、片面／両面印刷の種別情報などの印刷条件情報と、画像データを識別するため、ユーザに作成される各種コメント情報と、の少なくとも１つが付加される構成としてもよい。
【００４６】
また、画像記憶手段６２には、登録されたユーザごとに、使用できる記憶容量が予め設定されているものとする。各記憶容量は、ユーザごとに等しい構成としてもよく、異なる構成としてもよい。また、認証情報記憶手段６１に記憶されている認証情報は、登録されたユーザの登録ユーザＩＤと、その登録ユーザＩＤのユーザの指紋データとを含む。
【００４７】
次に、図３〜図７を参照して、デジタル複写機１００の動作を説明する。図３に、認証印刷処理を示す。図４に、認証印刷処理中の通常印刷処理を示す。図５に、認証印刷処理中の再印刷処理を示す。図６に、画像識別情報一覧画面例の構成を示し、（ａ）に画像識別情報一覧画面３００の構成を示し、（ｂ）に画像識別情報一覧画面４００の構成を示す。図７に、認証印刷処理中の管理処理を示す。
【００４８】
図３及び図４を参照して、デジタル複写機１００において実行される認証印刷処理を説明する。認証印刷処理は、ユーザの個人認証を行い、認証が成功した場合に、通常印刷処理、再印刷処理又は管理処理を実行し、再印刷する場合に、認証したユーザに対応する印刷ジョブのみを選択させて印刷実行させる処理である。
【００４９】
デジタル複写機１００において、電源投入、又は操作手段２を介してユーザから認証処理の実行指示が入力されたことをトリガとして、制御手段１が、認証印刷処理を実行開始する。以下、各ステップの処理主体は、特にことわらない限り制御手段１であるものとする。
【００５０】
先ず、操作手段２を介して、ユーザからのユーザＩＤの入力が受け付けられる（ステップＳ１１）。そして、個人認証手段５において、認証情報記憶手段６１に記憶された認証情報の登録ユーザＩＤが参照され、ステップＳ１１において入力されたユーザＩＤが登録されているか否かが判別される（ステップＳ１２）。ユーザＩＤが登録されている場合（ステップＳ１２；ＹＥＳ）、個人識別情報入力手段４を介してユーザの指紋が入力され、その指紋の読み取りにより指紋データが生成される（ステップＳ１３）。
【００５１】
そして、個人認証手段５において、認証情報記憶手段６１に記憶された認証情報の、ステップＳ１１において入力されたユーザＩＤの指紋データが参照され、ステップＳ１２において入力された指紋データと照合され、指紋が一致するか否かが判別される（ステップＳ１４）。ユーザＩＤが登録されていない場合（ステップＳ１２；ＮＯ）、又は指紋が一致しない場合（ステップＳ１４；ＮＯ）、操作手段２を介する個人認証終了入力の有無により、個人認証の終了が入力されたか否かが判別される（ステップＳ１５）。
【００５２】
個人認証を終了しない場合（ステップＳ１５；ＮＯ）、ステップＳ１１に移行される。個人認証を終了する場合（ステップＳ１５；ＹＥＳ）、ユーザの個人認証が失敗し、ユーザが認証されていないため、デジタル複写機１００において、制限された各種機能が実行され（ステップＳ１６）、認証印刷処理が終了される。つまり、認証されなかったユーザは、機能が制限された状態のデジタル複写機１００しか利用できない。機能制限された状態とは、例えば、認証されなかったユーザが、少なくとも記憶手段６に記憶された印刷ジョブを再印刷できない状態とし、さらに、記憶手段６にアクセスできない、通信ネットワークＮへアクセスできないなどの、画像形成動作に制限を加えるような状態としてもよい。また、認証されなかったユーザは、デジタル複写機１００の全ての機能を利用できないこととしてもよい。
【００５３】
指紋が一致した場合（ステップＳ１４；ＹＥＳ）、ユーザの個人認証が成功し、操作手段２を介して実行する各種処理の選択入力が受け付けられる（ステップＳ１７）。各種処理としては、通常印刷処理、再印刷処理及び管理処理のいずれか１つを選択する構成を説明するが、その他の処理も選択可能に実行される構成としてもよい。そして、ステップＳ１７において操作入力された実行する処理が何であるかが判別される（ステップＳ１８）。実行する処理が通常印刷処理である場合（ステップＳ１８；通常印刷）、通常印刷処理が実行される（ステップＳ１９）。通常印刷処理は、後で詳述する。
【００５４】
そして、操作手段２を介するユーザからの各種処理実行終了入力の有無により、各種処理の実行を終了するか否かが判別される（ステップＳ２０）。各種処理実行終了しない場合（ステップＳ２０；ＮＯ）、ステップＳ１７に移行される。各種処理実行終了する場合（ステップＳ２０；ＹＥＳ）、認証印刷処理が終了される。
【００５５】
実行する処理が再印刷処理である場合（ステップＳ１８；再印刷）、再印刷処理が実行され（ステップＳ２１）、ステップＳ２０に移行される。実行する処理が管理処理である場合（ステップＳ１８；管理）、管理処理が実行され（ステップＳ２２）、ステップＳ２０に移行される。再印刷処理及び管理処理は、後で詳述する。
【００５６】
次いで、図４を参照して、認証撮影処理のステップＳ１９の通常撮影処理を説明する。先ず、これから印刷する印刷ジョブが入力される（ステップＳ１９１）。例えば、画像入力手段７により原稿が読み取られて画像データが生成され、その画像データと、操作手段２を介して入力される印刷条件情報などの画像属性情報と、により印刷ジョブが生成されて入力される。また、画像転送手段９を介して、通信ネットワークＮ上の外部機器から画像データを受信し、その画像データと上記画像属性情報とにより印刷ジョブが生成されて入力される構成としてもよい。また、上記外部機器から印刷ジョブを受信する構成としてもよい。
【００５７】
そして、画像形成手段８により、入力された印刷ジョブに基づいて、記録媒体上に画像が印刷される（ステップＳ１９２）。そして、画像記憶手段６２に対して、ステップＳ１９２において印刷された印刷ジョブが保存可能であるか否かあるかが判別される（ステップＳ１９３）。印刷ジョブが保存可能であるか否かの判別は、認証されたユーザに対応する記憶容量として十分な空きがあるか否か、又はある所定数未満の印刷ジョブが記憶されているか否か、などに基づいて行われる。印刷ジョブが保存可能でない場合（ステップＳ１９３；ＮＯ）、印刷ジョブを新たに保存するために、画像記憶手段６２に記憶された印刷ジョブを削除する必要がある旨の、印刷ジョブ削除警告画面が表示手段３に表示される（ステップＳ１９４）。削除可能な印刷ジョブは、認証されたユーザに対応するもののみである。
【００５８】
そして、操作手段２を介して、削除する印刷ジョブの選択入力が受け付けられる（ステップＳ１９５）。このときに、画像記憶手段６２に記憶された、認証されたユーザに対応する印刷ジョブの一覧が表示手段３に表示される。この画面は、後述する画像識別情報一覧画面としてもよい。また、選択される印刷ジョブの数、サイズは、その削除により、新しく印刷ジョブを入力するために十分な空き容量が、画像記憶手段６２に生成されることを条件とする。
【００５９】
そして、ステップＳ１９５において、削除する印刷ジョブの選択入力があったか否かが判別される（ステップＳ１９６）。削除する印刷ジョブの選択入力があった場合（ステップＳ１９６；ＹＥＳ）、選択された印刷ジョブが画像記憶手段６２から削除される（ステップＳ１９７）。そして、計時手段１０から現在の日付情報及び時間情報が取得され、その日付及び時間や、認証されたユーザのユーザＩＤなどが、ステップＳ１９１において印刷された印刷ジョブの画像属性情報に書き込まれて、その印刷ジョブが画像記憶手段６２に記憶され（ステップＳ１９８）、通常印刷処理が終了され、ステップＳ２０に移行される。
【００６０】
印刷ジョブが保存可能である場合（ステップＳ１９３；ＹＥＳ）、ステップＳ１９８に移行される。削除する印刷ジョブの選択入力がない場合（ステップＳ１９６；ＮＯ）、認証されたユーザに対応する記憶された印刷ジョブのうちで、保存した時間が最も古いものから順に、画像記憶手段６２から自動的に削除され（ステップＳ１９９）、ステップＳ１９８に移行される。また、自動的に削除される印刷ジョブの数、サイズは、保存時間が古いものから順に、その削除により、新しく印刷ジョブを入力するために十分な空き容量が生成されることを条件とする。
【００６１】
次いで、図５を参照して、認証撮影処理のステップＳ２１の再印刷処理を説明する。先ず、認証されたユーザのユーザＩＤに対応する各印刷ジョブの画像識別情報が取得される（ステップＳ２１１）。画像識別情報とは、図２で説明したような印刷ジョブ内の画像属性情報や、印刷ジョブの画像データ中の最初の画像のサムネイルなどの、印刷ジョブの画像を識別するための情報とする。ステップＳ２１１において、画像属性情報を取得する場合は、画像記憶手段６２に記憶された印刷ジョブ内の画像属性情報から読み出されて取得される。また、サムネイルを取得する場合は、印刷ジョブ内の画像データの最初（又はそれ以外の１つ）の画像を縮小してそのサムネイルが生成されて取得される。
【００６２】
そして、取得された全印刷ジョブの画像識別情報一覧画面が生成される（ステップＳ２１２）。そして、生成された全印刷ジョブの画像識別情報一覧画面が表示手段３に表示される（ステップＳ２１３）。図６に、画像識別情報一覧画面の例を示す。図６（ａ）に、認証されたユーザＡに対応する画像識別情報一覧画面３００を示す。画像識別情報一覧画面３００には、ユーザＡに対応して画像記憶手段６２に記憶された印刷ジョブＪ１，Ｊ２，Ｊ３，Ｊ４…のそれぞれに対して、画像識別情報としてのユーザ名と、保存の時間及び日付と、ファイル名とが表示される。各印刷ジョブＪ１，Ｊ２，Ｊ３，Ｊ４…は、画像属性情報の利用回数が多いものから少ないものへと、上から下に順番に配列されて表示される。
【００６３】
また、図６（ｂ）に、別の一例としての画像識別情報一覧画面４００を示す。画像識別情報一覧画面４００は、認証されたユーザＡに対応して画像記憶手段６２に記憶された各印刷ジョブの画像データの最初の画像のサムネイルＴ１，Ｔ２，Ｔ３…が表示される。また、画面には表示されないが、各サムネイルＴ１，Ｔ２，Ｔ３…は、画像属性情報の利用回数が多いものから少ないものへと、左から右に順番に配列されて表示される。
【００６４】
なお、画像識別情報一覧画面は、画像形成手段８により記録媒体に画像形成して印刷可能な構成としてもよい。この構成によれば、認証されたユーザが、記録媒体に印刷された画像識別情報を目視により容易に確認できる。
【００６５】
そして、操作手段２を介して、画像識別情報一覧画面に表示された印刷ジョブから実行する少なくとも１つの印刷ジョブの選択入力と、印刷条件情報の入力と、が受け付けられる（ステップＳ２１４）。そして、選択された印刷ジョブが、入力された印刷条件情報に基づいて画像形成手段８により実行され、記憶媒体に画像が形成されることにより印刷される（ステップＳ２１５）。そして、その再印刷された印刷ジョブの画像属性情報の利用回数が＋１インクリメントされ、その再印刷された印刷ジョブが画像記憶手段６２に記憶（上書き保存）され（ステップＳ２１６）、再印刷処理が終了され、ステップＳ２０に移行される。
【００６６】
次いで、図７を参照して、認証撮影処理のステップＳ２２の管理処理を説明する。先ず、ステップＳ２２１〜Ｓ２２３が実行される。ステップＳ２２１〜Ｓ２２３は、それぞれ、再印刷処理のステップＳ２１１〜Ｓ２１３と同様である。そして、操作手段２を介して、画像識別情報一覧画面に表示された印刷ジョブから削除又は外部機器に転送する少なくとも１つの印刷ジョブの選択入力と、その削除又は転送の旨の入力とが受け付けられる（ステップＳ２２４）。転送の場合は、転送先の外部機器やアプリケーションのアドレス、転送方式などの転送条件も入力される。転送先では、受信する印刷ジョブが利用可能になる。例えば、印刷ジョブ中の画像データを、添付してメール送信したり、ＦＡＸ送信したりできる。
【００６７】
そして、ステップＳ２２４における操作入力が、印刷ジョブの削除であるか否かが判別される（ステップＳ２２５）。印刷ジョブの削除である場合（ステップＳ２２５；ＹＥＳ）、ステップＳ２２４において選択された印刷ジョブが画像記憶手段６２から削除され（ステップＳ２２６）、管理処理が終了され、ステップＳ２０に移行される。
【００６８】
印刷ジョブの削除でない場合（ステップＳ２２５；ＮＯ）、印刷ジョブの転送であり、ステップＳ２２４において選択された印刷ジョブが、入力された転送条件に基づいて、転送先のアドレスに基づいて、画像転送手段９及び通信ネットワークＮを介して、転送先の外部機器又はアプリケーションに転送され（ステップＳ２２７）、管理処理が終了され、ステップＳ２０に移行される。
【００６９】
なお、印刷ジョブの転送先は、デジタル複写機１００に着脱される携帯式のメモリカードや携帯式ＨＤＤなどとしてもよい
【００７０】
以上、本実施の形態によれば、デジタル複写機１００において、個人識別情報入力手段４を介して入力されたユーザの指紋データを用いて、個人認証手段５により、そのユーザを個人認証し、その認証が成功した場合に、画像形成手段８に、その認証されたユーザに対応して画像記憶手段６２に記憶されている印刷ジョブのみの再印刷を許可する。このため、各ユーザに対応して再印刷可能に画像記憶手段６２に記憶されている印刷ジョブのセキュリティを高めることができるとともに、その印刷ジョブを別のユーザが誤って実行（再印刷）することを防ぐことができる。
【００７１】
また、認証されたユーザに対応して画像記憶手段６２に記憶されている印刷ジョブの画像識別情報の一覧を表示するので、認証されたユーザが、再印刷可能な印刷ジョブの画像識別情報を目視により容易に確認できる。
【００７２】
また、画像識別情報として、ユーザＩＤ、画像データ（画像ファイル）のファイル名、ファイルサイズ及びファイル形式を含む画像属性情報と、画像データのサムネイルと、のいずれか１つを含む画像識別情報を表示するので、認証されたユーザが、画像識別情報を、目視により確認でき、画像データ（印刷ジョブ）を確実に識別できる。
【００７３】
また、各画像識別情報に対応する印刷ジョブの利用回数（印刷回数）に基づいて、当該各画像識別情報の順番を並べ替えて表示するので、認証されたユーザが利用回数に基づく印刷ジョブの順番を目視により確認できる。また、利用回数は、印刷回数だけでなく、データ内容の参照など、他の処理で利用された場合にもインクリメントされる構成としてもよい。
【００７４】
また、表示手段３に表示された画像識別情報一覧画面に基づいて、認証されたユーザに対応して画像記憶手段６２に記憶されている印刷ジョブのうち、そのユーザに選択された印刷対象の印刷ジョブを実行（印刷）するので、認証されたユーザが再印刷対象の画像データを容易に選択して再印刷できる。
【００７５】
また、新しく入力された印刷条件に基づいて、認証されたユーザに対応して画像記憶手段６２に記憶されている印刷ジョブを再印刷するので、再印刷のたびに異なる印刷条件で印刷できる。
【００７６】
また、認証されたユーザに対応して画像記憶手段６２に記憶されている画像データを、そのユーザが指定する転送先の外部機器、アプリケーションなどに転送するので、その転送先において、認証されたユーザに対応する印刷ジョブのセキュリティを高めるとともに、容易に再利用できる。
【００７７】
また、認証されたユーザに対応して画像記憶手段６２に記憶されている印刷ジョブを自動又は手動で削除可能であるので、画像記憶手段６２の空き容量を生成又は大きくできるとともに、記憶されている印刷ジョブが他のユーザに削除されることを防ぐことができる。
【００７８】
また、各ユーザに対応して画像記憶手段６２に記憶できる印刷ジョブの数又は合計容量の上限が設定されるので、画像記憶手段６２に記憶されている画像データの探索効率を上げることができるとともに、各ユーザによる画像記憶手段６２の記憶領域の占有を防ぐことができる。
【００７９】
なお、本実施の形態では、操作手段２を介して入力されるパスワードと、個人識別情報入力手段４を介して入力される指紋データと、に基づいて個人認証される構成としたが、これに限定されるものではない。例えば、指紋データ、虹彩データ、顔データ、静脈データ及び声紋データのうちの少なくとも１つの生体情報と、パスワードと、ＩＣカードなどの電子認証具に記憶された識別情報と、のうちの少なくとも１つの個人識別情報を用いて個人認証する構成としてもよい。特に、複数の個人識別情報を組み合わせて用いる場合に、セキュリティをより高めることができる。
【００８０】
また、本実施の形態では、各ユーザに対応して画像記憶手段６２に記憶できる画像データの数又は合計容量の上限が設定される構成としたが、これに限定されるものではない。例えば、全ユーザに対応して画像記憶手段６２に記憶できる画像データの数又は合計容量の上限が設定される構成としてもよい。この構成によれば、画像記憶手段６２に記憶されている印刷ジョブの探索効率を上げることができるとともに、再印刷用の印刷ジョブによる画像記憶手段６２の記憶領域の占有を防ぐことができる。
【００８１】
全ユーザに対応して画像記憶手段６２に記憶できる画像データの数又は合計容量の上限が設定される場合、画像入力手段７及び画像転送手段９から画像記憶手段６２に入力及び記憶されるので、所定の記憶容量まで記憶された場合に、古い印刷ジョブを自動的に削除する構成としてもよい。その印刷ジョブを削除する際又は削除される前に、画像転送手段９を介して、削除する印刷ジョブに対応するユーザに削除警告の旨の電子メールが配信されたり、そのユーザが所有するユーザ端末へメッセージが配信されたり、削除する印刷ジョブを対応するユーザが指定した指定場所に転送してから削除する構成としてもよい。
【００８２】
また、本実施の形態では、認証される各ユーザが、そのユーザに対応する画像記憶手段６２に記憶された印刷ジョブを再印刷、削除又は転送できる構成としたが、管理者については、画像記憶手段６２に記憶された全ての印刷ジョブを再印刷、削除又は転送できる構成としてもよい。
【００８３】
また、本実施の形態では、画像識別情報一覧表示における印刷ジョブの並べ替えの順番を、利用回数が多いことに基づいて設定していたが、これに限定されるものではなく、最初の保存時間が古いもの、又は最後に利用してからの経過時間が短いものに基づいて設定される構成としてもよい。また、本実施の形態では、印刷ジョブの自動削除の順番を、印刷ジョブの最初の保存時間が古いことに基づいて設定していたが、これに限定されるものではなく、利用回数が少ないこと、又は最後に利用してからの経過時間が長いものに基づいて設定される構成としてもよい。
【００８４】
また、画像記憶手段６２に記憶された印刷ジョブを、保存時間又は最後に利用した時間から一定期間後に自動的に削除する構成としてもよい。
【００８５】
また、本実施の形態では、画像属性情報と、画像データとを一緒にして印刷ジョブとし、印刷ジョブを単位として使用する構成としたが、これに限定されるものではない。画像属性情報及び画像データを別々に使用する構成としてもよい。
【００８６】
また、上記実施の形態における記述は、本発明に係る画像形成装置の一例を示すものであるが、これに限定されるものではなく、本発明の主旨を逸脱しない範囲で適宜変更可能である。
【図面の簡単な説明】
【００８７】
【図１】本発明に係る実施の形態のデジタル複写機１００の構成を示す図である。
【図２】印刷ジョブ２００の構成を示す図である。（ａ）は印刷ジョブ２００の構成を示す図である。（ｂ）は印刷ジョブ２００の画像属性情報２１０の構成を示す図である。
【図３】認証印刷処理を示すフローチャートである。
【図４】認証印刷処理中の通常印刷処理を示すフローチャートである。
【図５】認証印刷処理中の再印刷処理を示すフローチャートである。
【図６】画像識別情報一覧画面例の構成を示す図である。（ａ）は画像識別情報一覧画面３００の構成を示す図である。（ｂ）は画像識別情報一覧画面４００の構成を示す図である。
【図７】認証印刷処理中の管理処理を示すフローチャートである。
【符号の説明】
【００８８】
１００  デジタル複写機
１  制御手段
２  操作手段
３  表示手段
４  個人識別情報入力手段
５  個人認証手段
６  記憶手段
６１  認証情報記憶手段
６２  画像記憶手段
７  画像入力手段
８  画像形成手段
９  画像転送手段
１０  計時手段
【図１】
2005343034.tif 000003
【図２】
2005343034.tif 000004
【図３】
2005343034.tif 000005
【図４】
2005343034.tif 000006
【図５】
2005343034.tif 000007
【図６】
2005343034.tif 000008
【図７】
2005343034.tif 000009